(57)【要約】【課題】上下扉を連動して開閉し、扉を開く際に所定量開いて確実に一旦停止する。【解決手段】食器洗浄装置の開閉扉は上下に分割された上扉と下扉とを備え、扉を開く際には開き開始近傍でのみ上扉ホルダに開き力を加える弾性体を備え、扉が所定量開いた際にはばねは上扉から離反して開き力を低減して、さらにガイドローラを案内するガイドレールに凹部ないし凸部を設けてガイドローラを系止させて開き動作を確実に一旦停止させる。【選択図】図３
2006346314.tif 000002
【特許請求の範囲】
【請求項１】
本体と、前記本体内に設けた洗浄槽と、前記洗浄槽の前部に設けられ、食器類を出し入れ可能となすための開口部と、前記開口部を閉鎖する複数の開閉扉と、前記開閉扉を開閉する開閉機構とを備え、前記複数の開閉扉は上下に分割された上扉と下扉とからなり、前記上扉を支持する上扉支持体と、前記下扉を支持する下扉支持体と、前記上扉支持体と下扉支持体とを連結して前記上扉と前記下扉とを連結した連結手段と、一端を本体に設けられた回転支点のまわりに揺動自在に支持され、他の一端を前記上扉支持部材に回転自在に支持された揺動部材と、前記上扉支持部材の一端に設けられた案内体と、前記開閉扉が開閉動作を行う際に前記案内体を案内して上扉の姿勢を制御するスライド部と、前記上扉支持体を前記上扉が閉鎖された状態から所定量開成されるまで前記上扉を開成する方向に付勢する弾性体とを有する食器洗浄装置
【請求項２】
請求項１記載の食器洗浄機において、前記弾性体による付勢力によって前記扉が所定量開成されて以降は前記扉を閉鎖方向の力が作用するよう配設したことを特徴とする食器洗浄装置
【請求項３】
請求項１記載の食器洗浄機において、前記スライド部の一辺には、扉を開く動作の途中において前記案内体が前記系止部に勘合することで扉の開き動作を停止させる系止部を備え、前記扉が所定量開成された際には前記案内体が前記系止部に当接して前記扉の開成動作を停止する食器洗浄装置
【請求項４】
請求項３記載の食器洗浄機において、前記系止手段は前記スライド部の一辺に設けられた凹部である食器洗浄装置
【請求項５】
請求項３記載の食器洗浄機において、前記系止手段は前記スライド部の一辺に設けられた凸部である食器洗浄装置
【発明の詳細な説明】
【技術分野】
【０００１】
本発明は、洗浄水を噴射して食器を洗浄する食器洗浄装置に関する。
【背景技術】
【０００２】
従来、この種の食器洗浄装置は、図１および図２に示すように構成しており、以下、その構成について説明する。
【０００３】
図１は従来からの食器洗浄装置の全体を示す外観図、図２は扉が全開の状態における食器洗浄装置の概略構成を示す側面図である。本体１の正面側には下扉２と上扉３の上下２枚の開閉式の扉によって閉鎖されている。
【０００４】
扉開ボタン４を押すと図示しない扉のロック手段が解除され、ハンドル５を引くことで下扉２は下方矢印Ａ方向に回転して開いて２Ａ位置となり、上扉３は下扉２と連動して上方矢印Ｂ方向に移動して開いて３Ｂ位置となって本体の前面が開放されて開口部１１が現われ、食器類を出し入れすることが可能となる。
【０００５】
下扉２の下方には操作パネル部８があり、食器洗浄の開始や停止などの操作指示を行うボタン類９やたとえば動作状況を表示するLEDなどの表示手段１０を備えている。
【０００６】
本体１の内部は洗浄槽１２となっており、その内部には洗浄する食器類１３を載置する食器かご１４が例えば上下２段に設けられ、食器類を洗浄槽の内部に載置することができ、扉を全開とした際には開口部１１を介して食器類を出し入れできる構成となっている。
【０００７】
上扉３と下扉２とを閉鎖した際には、上下扉と洗浄槽１２との間、上扉３と下扉２との間は水封部材によって装置の外部に水が漏れないように構成されている。洗浄槽１２の底面には例えば回転式の噴射ノズル１５が設けられており、ポンプ１６によって高圧にされた洗浄水が噴射ノズルから噴射され、食器に付着した汚れを落として洗浄することができる構成となっている。
【０００８】
下扉２が閉じられるとロック手段１７のツメ部１８が本体１に設けられたロック掛部１９にかかって下扉２が閉じ位置でロックされるとともに、ロック手段１７の一部が例えばマイクロスイッチのような検知手段２０をＯＦＦ状態からＯＮ状態に遷移することによって食器洗浄装置の洗浄動作を可能とする構成となっている。
【０００９】
ユーザが扉開きボタン４を押してロック手段１７を解除すると、検知手段２０はＯＮ状態からＯＦＦ状態となって食器洗浄装置の動作を停止する構成となっている。
【００１０】
【特許文献１】特許公開２００３−７０７１２号公報
【特許文献２】特許公開２００２−３００９９６号公報
【発明の開示】
【発明が解決しようとする課題】
【００１１】
特許文献１には、本体と、前記本体内に設けた洗浄槽と、前記洗浄槽の前面を主たる面として設けた開口部と、前記開口部を閉塞する扉体と、前記扉体を前記本体の上方空間へ移動自在に支持する支持手段とを備え、前記支持手段は、スライド部を備えた食器洗浄機が記載されている。
【００１２】
この構成では回転支点をスライドする構成なので、左右の回転中心の位置がずれてスムースな動作が妨げられる場合がある、という問題点がある。
【００１３】
特許文献２には、洗浄槽と、前記洗浄槽に設けた開口部を開閉する複数個の扉体と、前記扉体を連動させる連動手段とを備え、前記扉体の閉塞位置では前記扉体の閉塞方向への力が作用し、かつ前記扉体の開放位置では前記扉体の開放方向への力が作用する構成とした食器洗浄機が記載されている。
【００１４】
このような構成の場合には、扉を閉鎖位置から開放する場合には、ロック解除手段を解除しても扉体は閉鎖方向への力が作用しているので、扉は開かない。そのため、扉を開くためには開放動作の当初から常時ユーザが手で開放方向の力を付与しなければならず、扉体の開放動作が面倒である。
【００１５】
さらに近年、食器洗浄装置の洗浄力増加のために、洗浄水をノズルから噴出する際の噴出圧力が増加されており、水漏れ防止のために従来以上に封水性能の向上が望まれている。
水漏れ防止のためには例えばゴムによる柔軟部材からなるパッキン部を開閉する扉と本体との境界部に設け、扉と本体との間に挟みこんで変形させ密着させて水漏れを防止することが行われている。
【００１６】
上記のように水漏れ防止機能を強化するためには、扉部と本体との間のパッキンの押圧を強化する必要があるために、扉を開閉する際にパッキン部と扉との間の押圧により生じる摩擦力が開閉動作の妨げになり、扉の開閉動作が重い、または扉を開く際に確実に開かないといった問題が生じる。
【課題を解決するための手段】
【００１７】
本発明は上記の課題を解決するためになされたもので、本発明の食器洗浄機は、本体と、前記本体内に設けた洗浄槽と、前記洗浄槽の前部に設けられ、食器類を出し入れ可能となすための開口部と、前記開口部を閉鎖する複数の開閉扉と、前記開閉扉を開閉する開閉機構とを備え、前記複数の開閉扉は上下に分割された上扉と下扉とからなり、前記上扉を支持する上扉支持体と、前記下扉を支持する下扉支持体と、前記上扉支持体と下扉支持体とを連結して前記上扉と前記下扉とを連結した連結手段と、一端を本体に設けられた回転支点のまわりに揺動自在に支持され、他の一端を前記上扉支持部材に回転自在に支持された揺動部材と、前記上扉支持部材の一端に設けられた案内体と、前記開閉扉が開閉動作を行う際に前記案内体を案内して上扉の姿勢を制御するスライド部と、前記上扉支持体を前記上扉が閉鎖された状態から所定量開成されるまで前記上扉を開成する方向に付勢する弾性体とを有したものである。
【発明の効果】
【００１８】
以上本発明によれば、上下の扉を連結して開閉することができ、かつ扉の開閉に要する力が少ないので軽快に扉を開閉することができる。上扉が閉鎖状態から開放される際には、本体に備えられた水封部材から一旦離れる方向に移動してから後に上方向に回動するよう上扉の姿勢を制御することができる、という効果がある。
【００１９】
さらに、扉が閉鎖された際には第一の弾性体によって上扉を本体の方向に押し付ける構成としたので、上扉と水封部材とが確実に押圧されるので、水漏れを確実に防止できる。
【００２０】
またさらに、前記第一の弾性体および第二の弾性体は、扉が全開状態となった際には扉を閉鎖する方向の力を生じるので、扉の開放動作を行った際に扉により生じる衝撃を緩和することができるので、操作時の使用感覚から煩わしさを低減して、より高品質な扉を備えた食器洗浄装置を提供できる。
【００２１】
さらに、前記上扉支持体の上扉近傍を上扉が開成する方向に付勢する補助弾性体を備えたので、ドアの開き動作の開始時には水封部材であるパッキンと扉との間に生じる摩擦力より大なる開き力を生じることができるので開き動作が確実となる。
【００２２】
さらに前記弾性体による付勢力によって前記扉が所定量開成された後には前記扉を閉鎖する方向の力が作用するよう配設したので、扉の系止手段が解除された際には確実に扉が開くとともに、所定量開成された際にはそれ以上開くことはないので、扉を確実に所定量開成した状態で停止することができる。
【発明を実施するための最良の形態】
【００２３】
以下、本発明の実施例を図面に基づいて説明する。
本発明の一実施例における食器洗浄装置の全体構成および機能は図１および図２に示した従来の食器洗浄装置とほぼ同一なものであって、本発明の特徴は上扉と下扉とを連動して動作する構成にある。
【００２４】
上扉３と下扉２を連動して開閉する扉開閉手段の構成と動作について図３から図１１により説明する。
【００２５】
図３から図１１において、下扉２は下扉ホルダ２１に取り付けられており、下扉ホルダ２１は本体１に設けられた下回転支点２２のまわりに回動自在に軸支されており、下扉２は下回転支点２２のまわりに回転して開閉することができる。
【００２６】
上扉３は上扉ホルダ３１に取り付けられており、上扉ホルダ３１にはガイドローラ３２が回転自在に設けられており、上扉ホルダ３１に設けられた他の回転支点３３においては揺動部材３４と回転自在に軸支されている。
【００２７】
揺動部材３４の他端は本体１に固定して設けられた回転支点３５の周りに回動自在に軸支されている。前記ガイドローラ３２は本体１側面に設けられた略Ｓ字形状に屈曲したガイド溝３６に摺動容易な隙間を介して嵌合しており、ガイド溝３６に沿って移動自在に支持されている。
【００２８】
本実施例においては、ガイド溝３６は上扉ホルダ３１の回転支点３３よりも下扉２の側に配置されており、さらにガイドローラ３２は回転支点３１よりもさらに下扉２の側に配置されている。またさらに、上扉ホルダ３１と揺動部材３４と連結部材４１との互いの間の回転支点を只一点となるよう構成して、例えばリベットによって回転自在に連結したものである。
【００２９】
上扉ホルダ３１の一部は上方に延長されたばね掛け部３７であり、一旦に第一の弾性体であるばねＳＡを掛ける穴ないし溝であるばね穴３８を設け、ばねＳＡの他端は本体１に設けられているばね掛け部２３に掛けられている。
【００３０】
ばねＳＡは矢印Ｆ４方向に引っ張り力を生じ、上扉ホルダ３１を回転支点３３のまわりに図示時計まわり方向（ＣＷ方向）の回転力を与える。３Ｄは上扉３の下端部に沿って設けられ、上扉３と下扉２の間の水封を行う水封部材である。
【００３１】
図３において、上扉３の重心位置をＧ３、質量をＷ３、回転支点から重心位置までの距離をＬ３とすれば、回転支点３３まわりに生じる反時計方向（CCW方向）のモーメントＭ３はＭ３＝Ｗ３×Ｌ３で表される。一方、ばねＳＡにより生じる引張力をＦ４、回転支点３３からばねまでの距離をＬ４とすれば、ばねＳＡより生じるCW方向のモーメントＭ４は、Ｍ４＝Ｆ４×Ｌ４となる。
【００３２】
さらに、開き補助ばねＳＣによって生じる力をＦ７、回転支点３３から開き補助ばねＳＣまでの距離をＬ６とすれば、開き補助ばねＳＣにより生じるＣＷ方向のモーメントＭ７はＭ７＝Ｆ７×Ｌ７となる。
【００３３】
ここで、Ｍ３＜（Ｍ４＋Ｍ７）となるようにばねＳＡによる引張力Ｆ４および補助ばねＳＣにより生じる力Ｆ７を定めることにより、上扉３にＣＷ方向の回転モーメントを与えることができるので、上扉３の上端においては矢印Ｆ５方向の力を生じて上扉３を洗浄槽１１の開口部の上端に沿って設けられた水封部材２５に対して押し付けるので、水封を良好にして水漏れを防止できるので好適である。
【００３４】
下扉ホルダ２１に設けられた回転支点２６と上扉ホルダ３１に設けられた回転支点３３との間は連結部材４１によってそれぞれ回動自在に連結されている。扉開ボタン４を押してロック手段１７を開放してからハンドル５を手前に引くことによって下扉２は下回転支点２２を中心として図示反時計方向（ＣＣＷ）に回転して開くので、連結部材４１は上扉ホルダ３１の回転支点３３を上方に向かって押し上げる。回転支点３３は揺動部材３４の揺動支点３５を中心とした円周上を矢印Ｊ１方向に移動する。
【００３５】
上記の構成により、下扉２を開くことによって上扉３が連動して開き、かつ下扉２を閉じることによって上扉３が連動して閉じる構成となっている。
【００３６】
第二の弾性体であるばねＳＢは一端を連結部材４１のばね掛け部４２に掛けられ、他の一端を本体１のばね掛け部２４に掛けられて、図示上方、すなわち矢印Ｆ６方向の引っ張り力を連結部材４１に加える。この力は連結部材４１を矢印Ｆ０方向に移動しようとする力、すなわち下扉２を開く方向の力となるので、扉開きボタン４を押してロック手段１７を解除した際に、下扉２に矢印CCW方向の回転力を付与して扉を開く動作を行う構成となる。さらに、扉開ボタン４を押してロック手段１７を解除して下扉２を開放してのち、ユーザがハンドル５を手前に引いて扉を開放する際の操作力を低減することができるので好適である。
【００３７】
第三の弾性体である開き補助ばねＳＣは、上扉３が閉鎖されている際には上扉ホルダ３１に対して上扉３を開成する方向である矢印Ｆ７方向の力を加え、上扉３が所定量開成されると上扉ホルダ３１から離反して力を加えない構成である。
【００３８】
ここで、扉開きボタン４を押してロック手段１７を解除した際には第二の弾性体であるばねＳＢによる力Ｆ６に加えてさらに第三の弾性体である開き補助ばねＳＣによる矢印Ｆ７方向の力がともに上扉３を開成する方向に作用して扉を確実に開成する、という効果がある。
【００３９】
ここで、開き補助ばねＳＣにより生じる力Ｆ７の方向について説明する。図３から図４の状態に至るまでの間、上扉３および上扉ホルダ３１は図示左上側に向かって洗浄槽１２から離れる方向に移動する。そこで、力Ｆ７の方向を上扉ホルダ３１の移動する方向に略合致させ、図３ないし図４に示すように図示略左上側に向かうことが望ましい。
【００４０】
このように配置して、上扉ホルダ３１の移動する方向と開き補助ばねＳＣの向きとを合致させることで上扉ホルダ３１は開き補助ばねＳＣの略中心軸方向に移動するので、扉を開成する場合、あるいは閉鎖する場合にも上扉ホルダ３１は開き補助ばねＳＣを軸方向に圧縮あるいは伸長するだけなので、開き補助ばねＳＣと上扉ホルダ３１との間で位置ずれが生じて補助ばねＳＣがゆがむ、あるいは補助ばねＳＣと上扉ホルダ３１との間で擦れが生じないので都合が良い。
【００４１】
次に、下扉２と上扉３とが閉鎖状態から開き始めて所定の角度すなわち所定量だけ開放された状態を図４により説明する。図４において、下扉２がCCW方向に回転して開き始め、連結部材４１は矢印Ｆ０方向に移動して回転支点３３を押し上げ、揺動部材３４は回転支点３５のまわりにCW方向に回動する。上扉ホルダ３１は回転支点３３が矢印Ｊ１方向に移動し、かつガイドローラ３２がガイド溝３６に沿って矢印Ｊ２方向、すなわち揺動支点３５に近接する方向に移動するので上扉３の最上端部３Ｃは矢印Ｊ３方向に移動して水封部材２５から離反する方向に移動して図４に示す状態に至る。この図４の状態において、下扉２の破線にて示した内壁２Ｃの位置が、上扉の略前縁３９の位置となっている。
【００４２】
扉開きボタン４を押してロック手段１７を解除した場合には、下扉２および上扉３とは一気に図９に示した全開状態にまで至るのではなく、図４に示した位置、すなわち扉が開いていることは一目瞭然にわかるが、下扉２の破線にて示した内壁２６が、上扉３の略前縁３８の位置となっている位置において、扉は一旦開き動作を停止するように構成している。
【００４３】
このとき、開き補助ばねＳＣは図３に示している扉が閉鎖された状態よりも伸びており、生じる力Ｆ７も小さい。ここで、図５を用いて図３に示した扉の閉鎖状態と、図４に示した扉が開きかけた状態とに含む扉の開成角度と扉を開成する力の関係について説明する。
【００４４】
図５において、横軸は扉の開成状態を示しており、左端が図３に示した閉鎖状態、初期開き位置が図４に示した半開き状態、さらに右側に従って扉が開いた状態を示している。
【００４５】
縦軸は扉を開成する力を示しており、扉を閉鎖した状態から開成を開始するのに必要な力をＦ８とすれば、開きばねＳＢと補助ばねＳＣによる力（Ｆ０＋Ｆ７）＞Ｆ８となるのでロック手段１７が解除されると扉は開成動作を開始し、図４に示した初期開き位置に至る。ここまでの開き量をＴ１であるとする。
【００４６】
Ｔ１だけ扉が開成された図４の状態においては補助ばねによる開き力Ｆ７は殆ど作用しないので開き力は図５に示した開きばねＳＢにより生じる力Ｆ０’のみとなる。ここでＦ０’＜Ｆ８なるように開きばねＳＢの力を設定すれば、Ｔ１だけ扉が開成されてから後は扉が開くに十分な力が生じないので扉は図４に示した半開きの状態で停止する。
【００４７】
ここで、補助ばねＳＣが無い構成で開きばねＳＢのみによって扉の開成開始時にＦ０＋Ｆ７なる力Ｆ８を生じさせるためには、図５において破線で示したＦＡのごとき力を生じる必要がある。このような場合、扉の開き量がＴ２に至るまではＦＡ＞Ｆ８となるので扉は開き量Ｔ１にては停止することができずにＴ２に至るまで開いてしまう。
【００４８】
したがって、扉を開き量Ｔ１の状態で停止させるためには閉鎖状態から開き量Ｔ１に至るまでの間のみ開き力Ｆ７を作用する補助ばねＳＣを備え、開き量Ｔ１の位置においては開き力Ｆ０’は開成に必要な力Ｆ８より小なる力のみを生じる構成とするのがよい。
【００４９】
次に、開き量Ｔ１の位置において扉の開成動作をさらに確実に停止する構成の一例について、次に説明する。
【００５０】
図６および図７を用いて扉の開き動作を一旦停止する構成の一例について説明する。図６は図２に示した上扉３と下扉２とを全閉とした場合のガイド溝３６とガイドローラ３２との位置関係を示す図であり、図７は図４に示した状態であって扉がＴ１だけ開いて開き動作を一旦停止した状態でのガイド溝３６とガイドローラ３２との位置関係を示す図である。
【００５１】
ガイド溝３６の一辺にはガイドローラ３２が勘合できる凹部３６Ａが設けられており、図４に示した扉が開き動作を一旦停止した際に図７に示すように凹部３６Ａにガイドローラ３２が勘合する位置関係となっており、一旦ガイドローラ３２が凹部３６Ａに勘合すると、ガイドローラ３２の設けられた上扉ホルダ３１に制止力が働いて扉を開放する動作が阻害され、扉の開き動作は一旦停止する。
【００５２】
ユーザが扉をさらに全開方向に開きたい場合にはハンドル５を手前に引いて下扉２を開けば上扉３も連動部材４１によって連動して開くので、全開位置まで開くことができる。
【００５３】
また、扉の開き動作を一旦停止する構成の別の実施例を図８および図９により説明する。図８は図２に示した上扉３と下扉２とを全閉とした場合のガイド溝３６とガイドローラ３２との位置関係を示す図であり、図９は図４に示した状態であって扉が開き動作を一旦停止した状態でのガイド溝３６とガイドローラ３２との位置関係を示す図である。
【００５４】
図８および図９に示すように、ガイド溝３６の一辺に突起部３６Ｂを設け、ガイドローラ３２を突起部３６Ｂに当接させることでガイドローラ３２に系止力を付加して扉を一旦停止させる構成であってもよい。
【００５５】
ここで、開き量Ｔ１の半開き位置で開き動作を停止する効果について説明する。例えば８０℃程度の高温の湯を用いて食器洗浄動作の最中に、ユーザが扉開きボタン４を押した場合、検知手段２０がＯＮ状態からＯＦＦ状態となるので食器洗浄動作は停止され、ポンプ１６を停止して湯がノズル１５から噴出するのも停止されるが、下扉２と上扉３とが急激に一気に開く構成とした場合には、湯の噴出が停止するのよりも早く扉が開く場合があり、そういう場合には下扉２と上扉３との隙間から高温の湯が噴出してユーザにかかる場合があって危険である。
【００５６】
一方、本実施例においては以上のように構成して、図４に示したように、下扉２の破線にて示した内壁２６の位置が、上扉３の略前縁３８の位置となっている位置において、扉は一旦開き動作を停止するようにしたので、食器洗浄動作を行っている最中で、高温の湯をノズル１５から噴射している最中に突然扉開きボタン４を押してロック手段１７を解除したとしても、ノズル１５から噴出した湯は上扉３または下扉２の内側の面に掛かるだけであり、上扉３と下扉２の間から湯が噴出してユーザにかかることがないので、より安全である。
【００５７】
なお本実施例における第三の弾性体ＳＣは圧縮ばねであるとして説明したが、その形態に限定されるものではなく、図１１に示したようにねじりばねであってもよく、その作用効果は圧縮ばねの場合と同等である。
【００５８】
またさらに別の実施例について図１２により説明する。図１２において補助ばねＳＣは上扉支持部材３１に設けられたガイドローラ３２の近傍に備えられ図示Ｊ２方向の力を加える構成である。Ｊ２方向の力によって上扉は上方向に押し上げられて扉を開成する方向の力となしており、さらにＪ２は回転支点３３に対して図示時計まわり(ＣＷ)方向のモーメントを生じるように配設すれば、扉を閉鎖した状態で上扉上端を洗浄槽１２に対して押し付ける方向となるので好適である。
【００５９】
ただし、図３から図４に示した構成と図１２に示した構成とを比較すると、図１２に示したように補助ばねＳＣをガイドローラ３２の近傍に配置した場合には、補助ばねＳＣにより生じるばね力による回転支点３３まわりのＣＷ方向のモーメントは図３ないし図４に示した如く上扉ホルダ３１の上扉３近傍に配置した場合の方が大きいので、開き補助ばねＳｃを上扉ホルダ３１の上扉３近傍に配置し、上扉を開成する方向の力を加える構成の方がより望ましい。
【００６０】
上記にて説明したような構成としたので、上下の扉を連結して開閉することができ、かつ扉の開閉に要する力が少ないので軽快に扉を開閉することができ、さらに確実に扉の開き動作を一旦停止する、という効果がある。
【００６１】
スライド部によって上扉支持体を介して上扉の姿勢を制御しながら開放する構成としたので、扉を開く際に上扉と水封部材とを互いに擦ることなく分離してから上扉を回動することができるので、確実な開放が行われるとともに、余計な摩擦負荷などを生じることがないので軽快に扉の開閉動作を行うことができる。
【００６２】
さらに、扉が閉鎖された際には第一の弾性体および開き補助ばねによって上扉を本体の方向に押し付ける構成としたので、上扉と水封部材とが確実に押圧されるので、水漏れを確実に防止できるので好適である。
【００６３】
さらに、スライド部に凹部または凸部を設けることによって案内体であるガイドローラを系止させることで、扉の開放動作の際に下扉がわずかに開いた状態で扉の開放動作を一旦停止するように構成したので、洗浄中に突然ロック手段を解除した場合に扉が一気に大きく開いてノズルから噴射されている高温の温水が扉の隙間から噴出することがないので安全性が高い、という効果もある。
【図面の簡単な説明】
【００６４】
【図１】本発明の一実施例における食器洗浄装置の外観斜視図である。
【図２】本発明の一実施例における食器洗浄装置の構成を示す側面図である。
【図３】本発明の一実施例における食器洗浄装置の扉閉鎖状態を示す側面図である。
【図４】本発明の一実施例における食器洗浄装置の扉一部開放状態を示す側面図である。
【図５】本発明の一実施例における食器洗浄装置の扉の開成角度と扉を開成する力の関係について説明する図。
【図６】本発明の一実施例における食器洗浄装置のガイド溝とガイドローラを示す図。
【図７】本発明の一実施例における食器洗浄装置のガイド溝とガイドローラを示す別図。
【図８】本発明の一実施例における食器洗浄装置のガイド溝とガイドローラを示す図。
【図９】本発明の一実施例における食器洗浄装置のガイド溝とガイドローラを示す別図。
【図１０】本発明の一実施例における食器洗浄装置の扉の全開状態を示す図。
【図１１】本発明の一実施例における食器洗浄装置の別の実施例を示す図。
【図１２】本発明の一実施例における食器洗浄装置の別の実施例を示す図。
【符号の説明】
【００６５】
１…本体
２…下扉
３…上扉
４…扉開ボタン
５…ハンドル
８…操作パネル部
９…ボタン類
１０…表示手段
１２…洗浄槽
１３…食器類
１４…食器かご
１５…噴射ノズル
１６…ポンプ
１７…ロック手段
１８…ツメ部
１９…ロック掛部
２０…検知手段
２１…下扉ホルダ
２２…下回転支点
２５…水封部材
２６…回転支点
３１…上扉ホルダ
３２…ガイドローラ
３３…回転支点
３４…揺動部材
３５…回転支点
３６…ガイド溝
３７…ばね掛け部
３８…ばね穴
４１…連結部材
４３…ピン
４４…抑制ガイド
ＳＡ…ばね
ＳＢ…開きばね
ＳＣ…開き補助ばね
【図１】
2006346314.tif 000003
【図２】
2006346314.tif 000004
【図３】
2006346314.tif 000005
【図４】
2006346314.tif 000006
【図５】
2006346314.tif 000007
【図６】
2006346314.tif 000008
【図７】
2006346314.tif 000009
【図８】
2006346314.tif 000010
【図９】
2006346314.tif 000011
【図１０】
2006346314.tif 000012
【図１１】
2006346314.tif 000013
【図１２】
2006346314.tif 000014